(57)【要約】【課題】トイレ室での時間を有効活用できると共に、トイレ室内をくつろぎの空間にすることが可能なトイレ用音響映像発生システムを提供する。【解決手段】トイレ室１４の外に設置され、デジタル信号及びアナログ信号のいずれか一方又は双方からなる信号を伝送媒体を介して送受信する信号送受信機Ａを有する室外信号送受信装置１８と、トイレ室１４に設置され、室外信号送受信装置１８と伝送媒体を介して連結される信号送受信機Ｂを備えた室内信号送受信装置と、室内信号送受信装置の制御及び／又は設定を行う制御手段２２と、トイレ室１４内に設置され、室内信号送受信装置からの信号を、音として再生する音響発生手段２０及び映像として表示する映像表示手段２１のいずれか一方又は双方からなる再生手段１９とを有する。【選択図】　　　　図１
2004120510.tif 000002
【特許請求の範囲】
【請求項１】
トイレ室の外に設置され、デジタル信号及びアナログ信号のいずれか一方又は双方からなる信号を伝送媒体を介して送受信する信号送受信機Ａを有する室外信号送受信装置と、
前記トイレ室に設置され、前記室外信号送受信装置と前記伝送媒体を介して連結される信号送受信機Ｂを備えた室内信号送受信装置と、
前記室内信号送受信装置の制御及び／又は設定を行う制御手段と、
前記トイレ室内に設置され、前記室内信号送受信装置からの信号を、音として再生する音響発生手段及び映像として表示する映像表示手段のいずれか一方又は双方からなる再生手段とを有することを特徴とするトイレ用音響映像発生システム。
【請求項２】
請求項１記載のトイレ用音響映像発生システムにおいて、前記室内信号送受信装置及びその制御手段は、前記トイレ室の室内に設けられて便器に付設する温水洗浄装置の収納ケース、前記温水洗浄装置を操作するリモコン装置、前記再生手段、及び前記トイレ室内のその他の付属機器の少なくとも１つ以上に設置されていることを特徴とするトイレ用音響映像発生システム。
【請求項３】
請求項１記載のトイレ用音響映像発生システムにおいて、前記トイレ室の室内に設けられて便器に付設する温水洗浄装置の収納ケース、該温水洗浄装置を操作するリモコン装置、及び前記トイレ室内のその他の付属機器の少なくとも１つ以上に、前記再生手段と前記室内信号送受信装置及びその制御手段を備えたことを特徴とするトイレ用音響映像発生システム。
【請求項４】
請求項２及び３のいずれか１項に記載のトイレ用音響映像発生システムにおいて、前記室内信号送受信装置、前記制御手段、前記温水洗浄装置、前記リモコン装置、及び前記トイレ室内のその他の付属機器のいずれか１又は２以上と、前記再生手段とは、双方向通信機能を有し、双方の動作が連動していることを特徴とするトイレ用音響映像発生システム。
【請求項５】
請求項１〜４のいずれか１項に記載のトイレ用音響映像発生システムにおいて、前記トイレ室の使用者の入出を検知する入出検出手段を有し、該入出検出手段の動作に応じて前記再生手段が制御されることを特徴とするトイレ用音響映像発生システム。
【請求項６】
請求項１〜４のいずれか１項に記載のトイレ用音響映像発生システムにおいて、前記トイレ室内に設置される便器に人が着座中であることを検知する着座検出手段を備え、該着座検出手段の動作に応じて、前記再生手段が制御されることを特徴とするトイレ用音響映像発生システム。
【請求項７】
請求項１〜４のいずれか１項に記載のトイレ用音響映像発生システムにおいて、前記トイレ室内に設置される便器の便座及び／又は便蓋の開閉検知手段を備え、該開閉検知手段の動作に応じて、前記再生手段が制御されることを特徴とするトイレ用音響映像発生システム。
【請求項８】
請求項１〜４のいずれか１項に記載のトイレ用音響映像発生システムにおいて、前記再生手段を制御するタイマー機能手段を備え、前記タイマー機能手段の動作に応じて前記再生手段が制御されることを特徴とするトイレ用音響映像発生システム。
【請求項９】
請求項１〜４のいずれか１項に記載のトイレ用音響映像発生システムにおいて、使用者の使用時間帯を記憶し、前記使用者の使用時間帯を想定する学習機能手段が設けられ、該学習機能手段と連動して前記再生手段の制御を行うことを特徴とするトイレ用音響映像発生システム。
【請求項１０】
請求項１〜９のいずれか１項に記載のトイレ用音響映像発生システムにおいて、前記再生手段は前記映像表示手段を備え、該映像表示手段は、静止画、動画及び言語情報のいずれか１又は２以上を表示する液晶ディスプレイ、ブラウン管ディスプレイ、プラズマディスプレイ、及び有機ＥＬディスプレイのいずれか１つ以上からなることを特徴とするトイレ用音響映像発生システム。
【請求項１１】
請求項１〜９のいずれか１項に記載のトイレ用音響映像発生システムにおいて、前記再生手段は前記映像表示手段を備え、該映像表示手段は、静止画、動画及び言語情報のいずれか１又は２以上を前記トイレ室の内壁、扉、及び床面のいずれか１つ以上に映し出す画像投影手段であることを特徴とするトイレ用音響映像発生システム。
【請求項１２】
請求項１〜１１のいずれか１項に記載のトイレ用音響映像発生システムにおいて、前記再生手段は前記音響発生手段を備え、該音響発生手段は、音を発するスピーカーで構成されたことを特徴とするトイレ用音響映像発生システム。
【請求項１３】
請求項１〜１１のいずれか１項に記載のトイレ用音響映像発生システムにおいて、前記再生手段は前記音響発生手段を備え、該音響発生手段は、音を発するイヤホンの接続用プラグが装着可能なジャックを備えていることを特徴とするトイレ用音響映像発生システム。
【請求項１４】
請求項１〜１３のいずれか１項に記載のトイレ用音響映像発生システムにおいて、前記伝送媒体は、電波、伝送線、及び電力線のいずれか１つ以上からなることを特徴とするトイレ用音響映像発生システム。
【請求項１５】
請求項１４記載のトイレ用音響映像発生システムにおいて、前記伝送媒体は前記電波であって、しかも、該電波は１〜５０ＧＨｚの周波数帯域のものが使用されていることを特徴とするトイレ用音響映像発生システム。
【請求項１６】
請求項１４記載のトイレ用音響映像発生システムにおいて、前記伝送媒体は前記伝送線であって、該伝送線には、電話回線、光ファイバー、ＬＡＮケーブル、及びその他の有線配線のいずれか１つ以上が使用されていることを特徴とするトイレ用音響映像発生システム。
【請求項１７】
請求項１４記載のトイレ用音響映像発生システムにおいて、前記伝送媒体は前記電力線であって、該電力線は、家庭用商用電源線であることを特徴とするトイレ用音響映像発生システム。
【発明の詳細な説明】
【０００１】
【発明の属する技術分野】
本発明は、トイレ室において、音響のみ、映像のみ、又は音響と映像の双方を発するトイレ用音響映像発生システムに関する。
【０００２】
【従来の技術】
１日の生活リズムは、図１０に示すように、主として朝、昼、夜の３つの時間帯に分けられる。ここで、例えば家庭の場合について、上記した３つの時間帯について説明する。
朝の時間帯は、例えば家族皆が会社や学校へ出かけるための準備を慌ただしく行っている。このため、少ない時間で社会情報を取得し、時間を有効に活用したいという考えがあり、例えば、トイレ室内に新聞を持ち込むことで、トイレを使用する５分間程度の時間をも活用している場合がある。
また、昼の時間帯は、例えば午前中の家事等を終えた主婦が休息を得ることができる時間帯である。しかし、居間で使用する電気代の節約のため、家電製品を使用しなかったり、また、子供のゲームでテレビが占有されたりで、自分の時間をとれない場合が多い。
そして、夜の時間帯は、例えば会社から帰ってきた主人が、家族と団らんする時間を持ったり、１日の疲れを癒すため個人の時間を持ったりする時間帯である。しかし、住居には、必ずしも１人でくつろぐための空間がなく、疲れを癒すことができない場合が多い。
【０００３】
そこで、１人の時間を持つことが可能なトイレ室内に、例えばテレビを設置することで、トイレの使用時間を有効活用すると共に、１人でくつろぐことも可能になる。なお、これにより、例えば、スポーツ、ドラマ、映画等のテレビ番組を観ている最中にトイレを使用したくなった場合でも、このテレビ番組を引き続き観ることができ、観たい場面を見逃すという心配もなくなる。
また、１人でくつろぐことが可能なトイレ室としては、便器を囲む左右側壁、扉を設けた正面壁、正面壁と対向する位置にある背面壁、天井、床面の全てにビーチリゾートや夕日等の心が安らぐ映像を映し出すことができるスクリーン付きトイレブースもある。これにより、仕事や移動の途中等における僅かな時間に、有効に気分転換を図ることができる（例えば、特許文献１参照。）。
そして、トイレ室内に、音楽再生装置により音楽を流すことができるスピーカーを備えたトイレユニットもある。これにより、音楽の音源を、テープレコーダ、ＣＤプレーヤ等の音楽再生装置から取得したり、トイレユニット内に設けた音楽再生装置に、好みの音楽を収録した記録媒体をセットして取得したり、また、マンション等では音楽再生装置を管理人室等に設け集中的に管理してマンション全館を通して取得することもできる。従って、心地よい環境をトイレ室内に創生し、心身をリラックスさせることができる（例えば、特許文献２参照。）。
【０００４】
【特許文献１】
特開平１１−３２４３５７号公報
【特許文献２】
特開２０００−１５４６６０号公報
【０００５】
【発明が解決しようとする課題】
しかしながら、上記したトイレ室には、以下の問題がある。
トイレ室内にテレビを設置する場合、外部からの信号を受信するためのアンテナが必要となるので、トイレ室に新たにアンテナ接続ジャックを設ける必要があり、工事費がかかり経済的でない。また、例えば住居が賃貸の場合等は、住居の改造に制約があるため、トイレ室にアンテナ接続ジャックを設ける作業ができない場合が多い。なお、例えアンテナ接続ジャックの無いトイレ室内に、アンテナ付きテレビを設置できたとしても、トイレ室は密閉空間でありテレビの受信性能が悪く、またテレビは予め決められたテレビ番組を放送するため、必要とする情報を瞬時に取得することができない場合が多い。
また、近年の住宅事情により、必ずしもトイレに窓が備わっておらず、トイレ室が密閉された空間となっている場合が多く、テレビに写る画像では、トイレ室が十分に癒される空間にならない場合が多い。ここで、トイレ室の内壁や扉に、予め絵画を掛けることもできるが、トイレを使用する人達皆がこの絵画に満足できるとは限らず、しかも、例えば季節に応じて絵画の掛け替えを行ったりすることは面倒である。
【０００６】
なお、トイレ室内にテレビを設置することなく音楽を聴きたい場合には、トイレ室内に例えばテープレコーダを設置したり、ＣＤ／ＭＤプレーヤを持って入り、音楽を聴きながらリラックスすることも考えられるが、トイレを利用するたびに、使用者が気に入ったカセットテープやＣＤ／ＭＤプレーヤそのものを携帯することは面倒であり、カセットテープやＣＤ／ＭＤプレーヤを不注意により便器の中へ落した場合は、故障し使用できなくなる恐れもある。
そして、トイレ室内の全面にスクリーンを設け、ビーチリゾートや夕日等の映像を映し出した場合、安らぎを得たい人にとっては良い環境となるが、同じトイレを、お年寄りから子供まで男女を問わず利用した場合、各人の取得したい情報は必ずしも同じ情報ではないため、例えば、朝の時間帯の少ない時間で社会情報を取得したい場合等には、むしろ悪い環境となる恐れがある。
更に、スピーカーを備えたトイレユニットの場合、音楽の音源を、テープレコーダ、ＣＤプレーヤ等の音楽再生装置から取得できるが、取得できる情報量には限りがあり、音楽再生装置にセットする記録媒体、例えばテープやＣＤに無い音楽情報は取得することができない。また、音楽の音源は、音楽再生装置に、好みの音楽を収録した記録媒体をセットして取得できるが、前記したように、トイレの使用者の好みは各人で異なるため、その都度記録媒体の入れ替えを行うことは面倒である。そして、音楽の音源をマンション全館を通して取得した場合も同様、マンションの各居住者で音楽の好みが異なるため、人によっては流れた音楽が不快になる場合もある。
本発明はかかる事情に鑑みてなされたもので、トイレ室での時間を有効活用できると共に、トイレ室内をくつろぎの空間にすることが可能なトイレ用音響映像発生システムを提供することを目的とする。
【０００７】
【課題を解決するための手段】
前記目的に沿う本発明に係るトイレ用音響映像発生システムは、トイレ室の外に設置され、デジタル信号及びアナログ信号のいずれか一方又は双方からなる信号を伝送媒体を介して送受信する信号送受信機Ａを有する室外信号送受信装置と、トイレ室に設置され、室外信号送受信装置と伝送媒体を介して連結される信号送受信機Ｂを備えた室内信号送受信装置と、室内信号送受信装置の制御及び／又は設定を行う制御手段と、トイレ室内に設置され、室内信号送受信装置からの信号を、音として再生する音響発生手段及び映像として表示する映像表示手段のいずれか一方又は双方からなる再生手段とを有する。これにより、制御手段を使用することで、室外信号送受信装置から室内信号送受信装置を介し、再生手段から取得したい情報を入手できる。
【０００８】
ここで、本発明に係るトイレ用音響映像発生システムにおいて、室内信号送受信装置及びその制御手段は、トイレ室の室内に設けられて便器に付設する温水洗浄装置の収納ケース、温水洗浄装置を操作するリモコン装置、再生手段、及びトイレ室内のその他の付属機器の少なくとも１つ以上に設置されていることが好ましい。ここで、トイレ室内のその他の付属機器とは、例えば、トイレットペーパーホルダー、タオル掛け、トイレ洗浄器具を収納するキャビネット、手洗い機、鏡、トイレ用照明器具等である。これにより、温水洗浄装置やリモコン装置、トイレ室内のその他の付属機器に、室内信号送受信装置及びその制御手段を組み込んだり、また再生手段に室内信号送受信装置を組み込むことができ、デザイン的にもすっきりとしたトイレ空間となる。
本発明に係るトイレ用音響映像発生システムにおいて、トイレ室の室内に設けられて便器に付設する温水洗浄装置の収納ケース、温水洗浄装置を操作するリモコン装置、及びトイレ室内のその他の付属機器の少なくとも１つ以上に、再生手段と室内信号送受信装置及びその制御手段を備えることが好ましい。これにより、温水洗浄装置、温水洗浄装置を操作するリモコン装置、又はトイレ室内のその他の付属機器に、再生手段、室内信号送受信装置及びその制御手段を組み込むことができ、よりデザイン的にもすっきりとしたトイレ空間となる。
【０００９】
本発明に係るトイレ用音響映像発生システムにおいて、室内信号送受信装置、制御手段、温水洗浄装置、リモコン装置、及びトイレ室内のその他の付属機器のいずれか１又は２以上と、再生手段とは、双方向通信機能を有し、双方の動作が連動していることが好ましい。これにより、例えばリモコン装置或いは温水洗浄装置そのものに設けたスイッチによって、温水洗浄装置の各種動作を行う事以外にも、付属機器或いは温水洗浄装置そのものに設けられた再生手段をリモコン装置から動作させたり、温水洗浄装置の各種動作と連動して付属機器或いは温水洗浄装置そのものに設けられた再生手段を動作させたりすることができる。また、リモコン装置に再生手段が搭載されていれば、温水洗浄装置を動作させるだけの本来の目的以外にも、トイレ室内に設けられた各種装置、機器、制御手段を連動させ、リモコン装置だけで音楽を聴いたり、映像を観賞できるなど、非常に便利である。
【００１０】
本発明に係るトイレ用音響映像発生システムにおいて、トイレ室の使用者の入出を検知する入出検出手段を有し、入出検出手段の動作に応じて再生手段が制御されることが好ましい。ここで、入出検出手段としては、例えば温水洗浄装置、リモコン装置、又は照明等に設けられた人体検知センサ（赤外線を投光し、その反射を検出する測距式や人体が発する赤外線を検出する焦電式等）、又は扉に設けられた光電式人体検知センサやホールＩＣを使用した扉開閉センサ等が挙げられる。このように、入出検出手段を設けることで、トイレの使用者は、トイレ室に入室するたびに再生手段を操作することなく、再生手段の制御を行うことができる。
本発明に係るトイレ用音響映像発生システムにおいて、トイレ室内に設置される便器に人が着座中であることを検知する着座検出手段を備え、着座検出手段の動作に応じて、再生手段が制御されることが好ましい。ここで、着座検出手段としては、例えば、前記した測距式、人体の着座を検出する静電容量式、重量を検出する重量測定式等が挙げられる。このように、着座検出手段を設けることで、トイレの使用者が再生手段の操作を行うことなく、再生手段の制御を行うことができる。
【００１１】
本発明に係るトイレ用音響映像発生システムにおいて、トイレ室内に設置される便器の便座及び／又は便蓋の開閉検知手段を備え、開閉検知手段の動作に応じて、再生手段が制御されることが好ましい。ここで、開閉検知手段としては、例えば、ホールＩＣ、フォトインタラプタ、ポテンショメータ等が挙げられる。このように、便器の便座及び／又は便蓋の開閉検知手段を設けることで、トイレの使用者が再生手段の操作を行うことなく、再生手段の制御を行うことができる。
本発明に係るトイレ用音響映像発生システムにおいて、再生手段を制御するタイマー機能手段を備え、タイマー機能手段の動作に応じて再生手段が制御されることが好ましい。これにより、トイレの使用者が再生手段の操作を行うことなく、予め設定した時間で再生手段の各種制御を行うことができる。また、タイマー機能手段と前記した検出手段、検知手段との組合わせにより、トイレの使用者が再生手段の操作を行うことなく、例えばトイレの使用開始から予め設定した時間で再生手段の各種制御も行うことができる。
【００１２】
本発明に係るトイレ用音響映像発生システムにおいて、使用者の使用時間帯を記憶し、使用者の使用時間帯を想定する学習機能手段が設けられ、学習機能手段と連携して再生手段の制御を行うことが好ましい。このように、学習機能手段を設けることで、使用者が使用すると思われる時間帯、例えば朝のラッシュ時を自動的に認識し時事情報を流したり、夜の時間帯にリラックス音楽を流したりして、再生手段の制御を自動で行うことができる。また、前記した各種検出手段、検知手段やタイマー機能手段と連動させることもできる。
本発明に係るトイレ用音響映像発生システムにおいて、再生手段は映像表示手段を備え、該映像表示手段は、静止画、動画及び言語情報のいずれか１又は２以上を表示する液晶ディスプレイ、ブラウン管ディスプレイ、プラズマディスプレイ、及び有機ＥＬディスプレイのいずれか１つ以上からなることが好ましい。このように、再生手段として各種ディスプレイからなる映像表示手段を備えることで、トイレの使用者は、例えば、静止画である風景画、動画であるテレビ番組、言語情報である新聞記事等を、トイレ室内で観ることができる。
【００１３】
本発明に係るトイレ用音響映像発生システムにおいて、再生手段は映像表示手段を備え、映像表示手段は、静止画、動画及び言語情報のいずれか１又は２以上をトイレ室の内壁、扉、及び床面のいずれか１つ以上に映し出す画像投影手段であることが好ましい。このように、再生手段として画像投影手段からなる映像表示手段を備えることで、トイレの使用者は、例えば、静止画である風景画、動画であるテレビ番組、言語情報である新聞記事等を、トイレ室の内壁、扉、床面に映し出して観ることができる。
本発明に係るトイレ用音響映像発生システムにおいて、再生手段は音響発生手段を備え、音響発生手段は、音を発するスピーカーで構成されることが好ましい。このように、音響発生手段がスピーカーで構成されることで、トイレの使用者は、トイレ室内で臨場感のある音響を楽しむことができる。
本発明に係るトイレ用音響映像発生システムにおいて、再生手段は音響発生手段を備え、音響発生手段は、音を発するイヤホンの接続用プラグが装着可能なジャックを備えていることが好ましい。これにより、イヤホンの接続用プラグをジャックに接続することで、例えば大きな音を発することができない場合でも、トイレの使用者は音楽を楽しむことができる。
【００１４】
本発明に係るトイレ用音響映像発生システムにおいて、伝送媒体は、電波、伝送線、及び電力線のいずれか１つ以上からなることが好ましい。ここで、伝送媒体が電波であれば、トイレ内に接続用の端子を新たに設ける必要がなく、全ての映像情報や音情報を取得することができる。また、伝送媒体が伝送線の場合には、伝送線１つで、全ての映像情報や音情報を取得することができ、また電力線の場合には、トイレ室にある電源コンセントから特別な工事を必要とせずに、全ての映像情報や音情報を取得することができる。このように、いずれの伝送媒体にしても、テレビを見ることしかできないアンテナ接続ジャックを設けることなく、必要とする全ての情報を容易に取得できる。
【００１５】
本発明に係るトイレ用音響映像発生システムにおいて、伝送媒体は電波であって、しかも、電波は１〜５０ＧＨｚの周波数帯域のものが使用されていることが好ましい。これにより、例えば、ＰＨＳ、携帯電話、無線ＬＡＮ、衛生通信等で使用される各種電波を使用でき、より高速な伝送速度を実現でき、例えば動画等では、高画質で時間遅れもなく、ストレス無く映像を楽しむことができる。
本発明に係るトイレ用音響映像発生システムにおいて、伝送媒体は伝送線であって、伝送線には、電話回線、光ファイバー、ＬＡＮケーブル、及びその他の有線配線のいずれか１つ以上が使用されていることが好ましい。これにより、従来各住居で使用されている伝送線をトイレ室内にも用いることができ、各種情報を入手できる。
本発明に係るトイレ用音響映像発生システムにおいて、伝送媒体は電力線であって、電力線は、家庭用商用電源線であることが好ましい。これにより、従来各住居で使用されている家庭用商用電源線をそのまま用いて、各種情報を入手できる。
【００１６】
【発明の実施の形態】
続いて、添付した図面を参照しつつ、本発明を具体化した実施の形態につき説明し、本発明の理解に供する。
ここに、図１は本発明の第１の実施の形態に係るトイレ用音響映像発生システムの説明図、図２は同トイレ用音響映像発生システムに使用する室外信号送受信装置の説明図、図３は同トイレ用音響映像発生システムの動作状態の説明図、図４は本発明の第２の実施の形態に係るトイレ用音響映像発生システムの説明図、図５は同トイレ用音響映像発生システムの内部系統の説明図、図６（Ａ）〜（Ｃ）はそれぞれ本発明の第１〜第３の変形例に係るトイレ用音響映像発生システムの説明図、図７は本発明の第２の変形例に係るトイレ用音響映像発生システムの内部の説明図、図８（Ａ）、（Ｂ）はそれぞれ本発明の第４、第５の変形例に係るトイレ用音響映像発生システムの説明図、図９は本発明の第５の変形例に係るトイレ用音響映像発生システムの内部の説明図、図１０は本発明のトイレ用音響映像発生システムによる時間帯別効果を示す説明図である。
【００１７】
図１、図２に示すように、本発明の一実施の形態に係るトイレ用音響映像発生システム１０は、便座１１及び便蓋１２を備えた便器１３と、この便器１３の後側上部に設けられ、例えば、温水洗浄装置、洗浄後の局部の乾燥装置、便座１１の保温装置、トイレ室１４内の暖房装置、トイレ室１４内の脱臭装置等の各種機能（図示しない）を備えた機能部１５とを有するトイレ室１４を、快適な空間にするためのシステムである。機能部１５に備えられた各装置は、機能部１５の収納ケース１６内に収納されたＡＣ制御装置から電力が供給されており、このＡＣ制御装置の動作は、ＤＣ制御装置によって制御されている。なお、機能部１５は、電源コードが接続された漏電保護プラグを、トイレ室１４内に設けられたコンセントに差し込むことで、動作可能な状態になる。以下、詳しく説明する。
【００１８】
図２に示すように、トイレ用音響映像発生システム１０は、トイレ室１４の外、例えば居間１７に設置された室外信号送受信装置１８を備えている。この室外信号送受信装置１８は、デジタル信号及びアナログ信号のいずれか一方又は双方からなる信号を伝送媒体を介して送受信する信号送受信機Ａを備えた装置である。ここで、伝送媒体としては、電波、伝送線、及び電力線のいずれか１つ、又は２つ以上を組合せて構成することができる。
なお、この伝送媒体が電波である場合は、例えば、ＰＨＳ、携帯電話、無線ＬＡＮ、衛生通信等で使用される１〜５０ＧＨｚの周波数帯域の各種電波を使用できる。また、伝送媒体が伝送線である場合には、電話回線、光ファイバー、ＬＡＮケーブル、及びその他の有線配線のいずれか１つ、又は２つ以上を組合せて使用できる。そして、伝送媒体が電力線である場合には、家庭用商用電源線を使用できる。
【００１９】
なお、電波で音を搬送するためには、電波の変調及び復調を行う必要がある。この変調及び復調の役割は、与えられた伝送路を使って、効率良く伝送可能な信号を生成するところにある。これにより、伝送路に混入した雑音によって、受信側で受け取った信号が、送信側で送った信号と異なった形になり質が低下することを防止できる。
ここで、デジタル信号の変調には、例えば、ＣＤやＤＶＤのようにデジタル信号を各規則によって変換する方式や、携帯電話やデジタルテレビ放送のように伝送媒体である搬送波を変化させる方式等を利用することができる。
【００２０】
更に、図１に示すように、トイレ用音響映像発生システム１０は、トイレ室１４内に設置された再生手段１９を有する。
この再生手段１９は、便器１３の後側に設けられたサラウンドシステムで構成される音響発生手段２０と、トイレ室１４内に設置されトイレ室１４の内壁に静止画、動画及び言語情報のいずれか１又は２以上を映像として映し出すプロジェクター（画像投影手段の一例）からなる映像表示手段２１とを有している。なお、プロジェクターが映し出す画像は、トイレ室１４の扉又は床面でもよい。この音響発生手段２０及び映像表示手段２１のいずれか一方又は双方からなる再生手段１９と温水洗浄装置とは、双方向通信機能を有し、双方の動作が連動している。これにより、温水洗浄装置をオン状態にすることで、再生手段１９の動作を自動的に開始でき、また、温水洗浄装置をオフ状態にすることで、再生手段１９の動作を自動的に停止できる。なお、再生手段１９は、音響発生手段２０及び映像表示手段２１のいずれか一方で構成されてもよい。
また、音響発生手段としては、機能部１５に、音を発するイヤホンの接続用プラグが装着可能なジャックを備えることも可能である。
【００２１】
そして、映像表示手段２１としては、トイレ室１４の内壁に設置可能な、静止画、動画及び言語情報のいずれか１又は２以上を表示する液晶ディスプレイ、ブラウン管ディスプレイ、プラズマディスプレイ、及び有機ＥＬディスプレイのいずれか１つ、又は２つ以上を組合せて構成することも可能である。ここで、プラズマディスプレイとは、ハイビジョン用の大画面で、高画質の表示が可能なディスプレイであり、自然な階調表示が得られ、色再現性、応答性が良く、大型化できるという特徴を持ったものである。また、有機ＥＬディスプレイとは、発光層に電圧を印加することにより生じる自発光で画像を表示するディスプレイであり、バックライトを必要とする液晶ディスプレイに比較して明るく鮮明な画像が得られ、しかも視野角度の影響も受けないものである。
【００２２】
また、トイレ室１４の内壁で、便器１３の使用者の手が届く範囲には、複数のアイコンが表示される画面を備えた制御手段２２が設置されている。この制御手段２２には、室外信号送受信装置１８と伝送媒体を介して連結される信号送受信機Ｂを備えた室内信号送受信装置が設けられ、この室内信号送受信装置の制御及び／又は設定を制御手段２２が行っている。
制御手段２２の画面上には、図３に示すように、テレビ（ＴＶ）、音楽（ＭＵＳＩＣ）、景色（ＳＣＲＥＥＮ）、インターネット（ＮＥＴ）、電子メール（Ｅ−ｍａｉｌ）、電話（ＴＥＬ）、新聞（Ｎｅｗｓｐａｐｅｒ）、本（Ｂｏｏｋ）、ゲーム（ｇａｍｅ）、照明（Ｌｉｇｈｔ）、エアコン（ＡＩＲ）、その他（ＯＰＴＩＯＮ）、及び温水洗浄装置を操作するリモコン装置２３の各アイコンが、それぞれ表示されている。ここで、その他には、例えば、インターホン、セキュリティー、緊急警報等の機能を備えつけておくことができる。また、温水洗浄装置のリモコン装置２３には、洗浄の停止（止）、おしり洗浄（おしり）、やわらか洗浄（やわらか）、ビデ洗浄（ビデ）、洗浄後の乾燥（乾燥）等の操作部が設けられている。
【００２３】
なお、制御手段２２の画面はタッチパネルとなっているため、画面上の各アイコンを、例えばトイレの使用者が指でタッチし選択することにより、必要とする情報を、室外信号送受信装置１８から室内信号送受信装置を介して入手できる。
これにより、室内信号送受信装置からの信号を、音響発生手段２０により音として発生させ、また映像表示手段２１により映像として表示することができる。従って、例えば、制御手段２２の画面上にある照明のアイコンを選択した場合、図３に示すように、トイレ室１４の天井に設けられた照明器具２４を点灯させることができる。
【００２４】
また、制御手段２２の画面、即ち周辺部を除く部分は映像表示手段２５となっており、しかも映像表示手段２５の両側には、音を発するスピーカー（音響発生手段の一例）２６が設けられている。この映像表示手段２５には、前記した映像表示手段２１と同一の映像を映し出し、またスピーカー２６には、前記した音響発生手段２０と同一の音を再生することができる。このように、制御手段２２に再生手段を設けることも可能である。なお、ここでは、便器１３の後側側部や、便器１３と対向する内壁、側壁に、スピーカー（音響発生手段の一例）２７、２８、２８ａをそれぞれ設けている。
ここでは、室内信号送受信装置は、再生手段１９を構成する制御手段２２に設置されているが、温水洗浄装置が収納された収納ケース１６に設けることも、また再生手段１９と室内信号送受信装置とを収納ケース１６に設けることも可能である。
【００２５】
なお、再生手段１９は、制御手段２２の画面上で操作するだけでなく、着座検知センサ（着座検出手段の一例）、人体検知センサ（入出検出手段の一例）、便器１３の便座１１及び／又は便蓋１２の検知基板（開閉検知手段の一例）、学習機能手段、内蔵時計（タイマー機能手段の一例）によって制御することも可能である。
人がトイレを着座中であることを検知する着座検知センサは、発光素子及び受光素子からなり、トイレ室１４内に設置される便器１３に設けられた収納ケース１６に装着されている。これにより、投光素子による赤外光が便座１１に座った使用者により反射され、反射された赤外光のうち所定レベル以上の赤外光が受光素子に戻ってくると、着座信号を発し、この着座検知センサの動作に応じて再生手段１９がオンオフ制御される。なお、便器１３が男子の大便用あるいは女子用として使用される場合は、着座検知センサが着座信号を発するので、これによりトイレの使用を検出することができる。このように、着座検知センサとしては、赤外線を投光しその反射を検出する測距式を使用できるが、人体の着座を検知する静電容量式、重量を検出する重量測定式等を使用することも可能である。
【００２６】
また、トイレ室１４の使用者の入出を検知する人体検知センサは、人体から発する赤外線を感知することによりトイレの使用を検出するセンサであり、例えば、便器１３、リモコン装置２３、又は照明等に取付けることが可能である。この人体検知センサの動作に応じて再生手段１９がオンオフ制御される。このような人体検知センサとしては、上記したような人体が発する赤外線を検出する焦電式以外に、赤外線を投光しその反射を検出する測距式等が使用されている。人体検知センサによってトイレの使用を検出すると、男子の小便用のように、便座１１に座らないような形態でのトイレ使用も検出することができる。なお、人体検知センサは、機能部１５に組み込まれているものであってもよく、機能部１５とは別体で、トイレ室１４内に設けられているものであっても構わない。
なお、トイレ室１４の扉に、光電式人体検出センサやホールＩＣを使用した扉開閉センサ等を設け、トイレの使用者を検知することも可能である。
【００２７】
そして、便座１１及び便蓋１２のいずれか一方又は双方からなる開閉部材の開閉動作を検知するためのホールＩＣ等を有する検知基板は、収納ケース１６の側壁に設けることが可能である。この検知基板は、開閉部材の基端部に設けられた磁石の磁力を検知し、開閉部材の開閉状態を検知できる。このため、開閉部材の開閉状態を検知基板の動作によって検知し、この動作に応じて再生手段１９をオンオフ制御することができる。
即ち、開閉部材を開く（上げる）ことにより、磁石と検知基板とのギャップが大きくなり、検知基板が磁力を検知できなくなると、開閉部材が開状態であると判断される。これにより、トイレが使用されていると判断され、再生手段１９がオンになる。また、開閉部材を閉じる（下げる）ことにより、磁石と検知基板とのギャップが小さくなり、検知基板が検知する磁力が大きくなると、開閉部材が閉状態であると判断される。これにより、トイレが使用されていないと判断され、再生手段１９がオフになる。
なお、開閉検知手段としては、ホールＩＣ等を有する検知基板を使用することなく、フォトインタラプタやポテンショメータ等を使用することも可能である。
【００２８】
更に、トイレ用音響映像発生システム１０には、使用者のトイレの使用を検出して、トイレ使用情報（使用時間帯）を記憶し、記憶した情報からトイレの使用頻度を算出して、使用者の使用時間を想定する学習機能手段を設けることが可能である。なお、記憶したトイレ使用情報に基づいてトイレの使用頻度を算出することを学習とも呼ぶ。トイレ使用情報及び算出したトイレ使用頻度に基づいて各種衛生機能の制御内容を決定することで、トイレ使用の快適さを損なうことなく、エネルギ消費の節約を図っている。
トイレの使用を検出し、その時の時刻を知ることができれば、トイレ使用情報を検出することができる。トイレの使用を検出した時刻は、ＤＣ制御ユニットの内蔵時計により知ることができる。このトイレ使用情報の検出は、主にＤＣ制御ユニットによって行われ、ＤＣ制御ユニットに備えられ各種センサとのデータのやり取りを司るＰＩＯには、トイレの使用を検出する例えば着座検知センサ、人体検知センサ等からなる各種センサ（検出手段の一例）が接続されていて、各種センサからの信号がＰＩＯを介してＣＰＵに伝達される。これらセンサによってトイレの使用が検出されると、ＣＰＵは内蔵時計がトイレの使用時刻を読み出した後、トイレ使用情報として蓄積する。これにより、この学習機能手段と連動して、再生手段１９のオンオフ制御を行うことで、エネルギ消費の節約を図ることができる。
【００２９】
なお、再生手段１９の制御は、内蔵時計によって行うこともでき、内蔵時計単独で、又はトイレの使用状態を検知する人体検知センサや着座検知センサとの組合わせによって、再生手段１９のオンオフを含む各種制御を行うことも可能である。
ここで、再生手段１９の制御を内蔵時計単独で行う場合は、例えば、予め設定した時刻に音楽をスタートさせ、その時刻から数分後に、自動的に音楽をストップさせる制御を行うことができる。また、再生手段１９の制御を、人体検知センサ及び着座検知センサのいずれか一方又は双方と内蔵時計との組合わせによって行う場合は、例えば、各種センサが使用者を検知することで音楽をスタートさせ、その時刻から数分後に、自動的に音楽をストップさせる制御を行うことも可能である。
【００３０】
次に、図４及び図５を参照して本発明の第２の実施の形態に係るトイレ用音響映像発生システム３０について説明するが、このトイレ用音響映像発生システム３０は、再生手段３１が温水洗浄装置３２のリモコン装置３３に設けられたこと以外は、前記した本発明の第１の実施の形態に係るトイレ用音響映像発生システム１０と実質的に同様の構成となっているため、同一部材には同一の番号を付し、詳しい説明を省略する。
図４及び図５に示すように、温水洗浄装置３２のリモコン装置３３は、トイレ室１４の内壁に設けられており、しかも信号送受信機Ｂを備えた室内信号送受信装置３４と再生手段３１とを有している。この再生手段３１には、音を発するスピーカー（音響発生手段の一例）３５と、静止画、動画及び言語情報のいずれか１又は２以上を映し出す映像表示手段３６とが備えられ、しかもスピーカー３５や映像表示手段３６の選択を行う制御手段３７も備えられている。なお映像表示手段３６は、前記した各種ディスプレイで構成された映像表示手段と同様の構成にできる。
【００３１】
図５に示すように、再生手段３１と制御手段３７とは、双方向通信機能を有しており、また、制御手段３７は、温水洗浄装置３２（例えば、着座検知センサ、人体検知センサ等の各種検知センサを備えている場合もある）又は室内信号送受信装置３４と、双方向通信機能を有している。
このため、制御手段３７によって、室内信号送受信装置３４は、前記した伝送媒体を介して室外信号送受信装置１８から各種情報３８を受信し、再生手段３１に送信できる。ここで、各種情報３８としては、例えば、（１）テレビアンテナや有線ケーブルからの映像情報、（２）ＤＶＤやＣＤプレーヤからの映像及び／又は音声情報、（３）ＦＭ／ＡＭラジオからの音声情報、（４）インターネットを通じての各種映像情報、音声情報、言語情報、及び電子メール情報のいずれか１又は２以上、（５）電波時計からの時刻情報、（６）電話回線からの電話情報、（７）パソコンからの各種情報（例えば、ゲーム、家計簿等）、（８）各種セキュリティー情報、等が挙げられる。
また、温水洗浄装置３２の各種検知センサの信号により、再生手段３１の動作を連動させることができる。
【００３２】
なお、映像表示手段３６の画面上には、前記した制御手段２２の画面上の各アイコン（温水洗浄装置のリモコン装置２３は除く）が表示できるので、トイレの使用者が画面上の各アイコンを指で触ることで、制御手段３７を介して各種情報３８の選択ができる。
また、トイレ用音響映像発生システム３０には、トイレ室１４の内壁に静止画、動画及び言語情報のいずれか１又は２以上を映像として映し出すプロジェクター（画像投影手段の一例）や前記した各種ディスプレイで構成された映像表示手段を備えた再生手段３９が設けられている。この再生手段３９は、制御手段３７によって制御される。なお、この再生手段３９に、音を発するスピーカー（音響発生手段の一例）を備えることも勿論可能である。
【００３３】
続いて、本発明の第１の変形例に係るトイレ用音響映像発生システム４０について説明する。
図６（Ａ）に示すように、本発明の第１の変形例に係るトイレ用音響映像発生システム４０は、便器４１に付設された温水洗浄装置及びそのリモコン装置４２を備えたトイレ室４３に適用するものであり、リモコン装置４２に、記録媒体４４に録音された音信号を含む電気信号を取り出し増幅するプレーヤ４５が設けられたシステムである。このプレーヤ４５としては、カセットテーププレーヤ、ＭＤプレーヤ、ＣＤプレーヤ、例えばＩＣ等のメモリー素子を記録媒体にしたメモリ素子プレーヤを用いることができる。このため、記録媒体４４は、上記したプレーヤ４５の種類に応じて、カセットテープ、ＣＤ、ＭＤ等を使用できる。なお、プレーヤ４５は、プレーヤ４５が接続された電源コード４６を、トイレ室４３内に設けられた１００Ｖ電源（図示しない）に差し込み動作させる。
【００３４】
温水洗浄装置の収納ケース４７内には、受信機及びスピーカーがそれぞれ設けられている。また、収納ケース４７の一方側の側壁には、音信号を含む電気信号を、赤外線又は電波（例えばＦＭ電波等）を介して収納ケース４７内の受信機に伝えるための受信部４８が設けられている。そして、収納ケース４７の他方側の側壁には、スピーカーから再生された音を収納ケース４７の外部に出すための多数の開口部を備えたカバー４９が設けられている。
これにより、プレーヤ４５に対応した記録媒体４４を、プレーヤ４５に入れた後、プレーヤ４５を操作することで、トイレ室４３内に音楽を流すことが可能になる。
なお、プレーヤ４５に、予め人体検知センサ５０を設けることで、トイレ室４３へ使用者が入室した場合は、自動的に音楽をスタートさせ、トイレ室４３から使用者が退出した場合は、自動的に音楽をストップさせる制御を行うことができる。この人体検知センサ５０は、前記した人体検知センサと同様の構成である。
このように、プレーヤ４５を温水洗浄装置のリモコン装置４２に設けることで、プレーヤ４５への記録媒体４４の入れ替えが容易になり、入れ替え時の作業性が良好になる。
【００３５】
続いて、本発明の第２の変形例に係るトイレ用音響映像発生システム５５について説明する。
図６（Ｂ）に示すように、本発明の第２の変形例に係るトイレ用音響映像発生システム５５は、便器５６に付設された温水洗浄装置及びそのリモコン装置５７を備えたトイレ室５８に適用するものであり、温水洗浄装置の収納ケース５９の外側壁に、記録媒体６０に録音された音信号を含む電気信号を取り出し増幅するプレーヤ６１が設けられたシステムである。なお、プレーヤ６１及び記録媒体６０の種類は、前記したトイレ用音響映像発生システム４０と同様のものを用いることができる。
【００３６】
温水洗浄装置の収納ケース５９内には、受信機及びスピーカー７０（図７参照）がそれぞれ設けられている。また、収納ケース５９の他側側壁には、スピーカー７０から再生された音を収納ケース５９の外部に出すための多数の開口部を備えたカバー６２が設けられている。そして、収納ケース５９の他方側上部には、音信号を含む電気信号を、赤外線、電波（例えばＦＭ電波等）を介して収納ケース５９内の受信機に伝えるためのリモコン受光部６３が設けられている。このリモコン受光部６３は、温水洗浄装置のリモコン装置５７が使用する受光部と共用になっている。なお、プレーヤ６１は、プレーヤ６１が接続された電源コードを、トイレ室５８内に設けられた１００Ｖ電源（図示しない）に差し込み動作させることも、また温水洗浄装置の電源と共用にすることも可能である。このプレーヤ６１の動作は、温水洗浄装置のリモコン装置５７に設けられた音楽用リモコン装置６４によって動作させる。
【００３７】
ここで、図７を参照しながら、トイレ用音響映像発生システム５５による音楽の出力方法について説明する。
プレーヤ６１に、音楽が録音された記録媒体６０である音楽ソフト６５をセットする。
音楽用リモコン装置６４を操作することで、収納ケース５９に設けられたリモコン受光部６３が電気信号を受信し、収納ケース５９内のメインコントローラ６６がプレーヤ６１のオンオフ制御（音楽のスタート及びストップ制御）を行う。なお、メインコントローラ６６への指令は、収納ケース５９内に設けられた温水洗浄装置の操作部６７の操作や、また人体検知センサ及び着座検知センサのいずれか一方又は双方からなる検知センサ６８を介して行うことも可能である。
【００３８】
プレーヤ６１からの出力は、収納ケース５９内に設けられたアンプ６９に入力され、アンプ６９からの出力がスピーカー７０に出力されて、トイレ室５８内に音楽を流すことができる。ここで、収納ケース５９に音楽出力端子７１を設けることで、アンプ６９からの出力を他のスピーカー７２に出力し、このスピーカー７２から音楽を流すことも可能である。
なお、収納ケース５９内には、温水洗浄装置の使用方法を音声案内する音声ドライブ７３を予め設けておき、音楽再生中に、音声ドライブ７３から音声信号を出すときは、メインコントローラ６６からの指示により、音楽の音量を落す等の制御を行うことも可能である。このメインコントローラ６６は、前記した機能部１５と実質的に同様の構成である機能部７４の動作も制御している。
これにより、使用者がトイレを使用するたびにトイレ室５８にプレーヤ６１を携帯することなく、トイレの使用中に音楽を楽しむことができ、しかもプレーヤ６１を不注意により便器の中へ落とす恐れがなくなる。従って、容易にトイレ室５８をリラックスすることが可能な快適な空間にできる。
【００３９】
本発明の第３の変形例に係るトイレ用音響映像発生システム８０について説明するが、これはトイレ用音響映像発生システム５５の音楽用リモコン装置６４が無くなり、プレーヤ８１の操作部８２が、温水洗浄装置の収納ケース８３の外側壁に設けられたプレーヤ８１に備えられていること以外は、トイレ用音響映像発生システム５５と実質的に同様のシステムであるため、同一部材には同一の番号を付し、詳しい説明を省略する。
図６（Ｃ）に示すように、本発明の第３の変形例に係るトイレ用音響映像発生システム８０は、温水洗浄装置の収納ケース８３の外側壁に、記録媒体６０に録音された音信号を含む電気信号を取り出し増幅するプレーヤ８１が設けられたシステムである。
このトイレ用音響映像発生システム８０は、収納ケース８３に設けられた人体検知センサや着座検知センサ（図示しない）を介して、プレーヤ８１のオンオフ制御（音楽のスタート及びストップ制御）を行うことが可能である。
なお、音楽の選曲等の操作は、プレーヤ８１の操作部８２で行う。
【００４０】
本発明の第４の変形例に係るトイレ用音響映像発生システム８５について説明する。
図８（Ａ）に示すように、本発明の第４の変形例に係るトイレ用音響映像発生システム８５は、便器８６に付設された温水洗浄装置及びそのリモコン装置８７を備えたトイレ室８８に適用するものであり、温水洗浄装置の収納ケース８９の一方側の外側壁に設けられた載置部９０に、トイレ室８８に持ち込んだ記録媒体に録音された音信号を含む電気信号を取り出し増幅するプレーヤ９１を載置可能とするシステムである。なお、プレーヤ９１及び記録媒体の種類は、トイレ用音響映像発生システム４０と同様のものを用いることができる。
【００４１】
温水洗浄装置の収納ケース８９内には、スピーカーが設けられている。また、収納ケース８９の一方側の側壁にはプラグ９２が設けられ、プレーヤ９１からの出力がイヤホンジャックを介して収納ケース８９内に設けられたアンプに接続され、このアンプからの出力がスピーカーに出力されている。そして、収納ケース８９の他側側壁には、スピーカーから再生された音を収納ケース８９の外部に出すための多数の開口部を備えたカバー９３が設けられている。
なお、プレーヤ９１は、プレーヤ９１が接続された電源コードを、トイレ室８８内に設けられた１００Ｖ電源（図示しない）に差し込み動作させることも、また温水洗浄装置の電源と共用にすることも可能である。このプレーヤ９１の動作は、プレーヤ９１に設けられた操作部によって動作させる。
これにより、プレーヤ９１を温水洗浄装置の外部に配置でき、しかもこのプレーヤ９１からの出力を、温水洗浄装置に設けられたアンプを介してスピーカーから出力できるので、手持ちのプレーヤを用いてトイレ室８８内で音楽を楽しむことができる。このため、新たにプレーヤを購入する必要がなく経済的である。
【００４２】
本発明の第５の変形例に係るトイレ用音響映像発生システム９５について説明する。
図８（Ｂ）に示すように、本発明の第５の変形例に係るトイレ用音響映像発生システム９５は、便器９６に付設された温水洗浄装置及びそのリモコン装置９７を備えたトイレ室９８に適用するものであり、温水洗浄装置の収納ケース９９内には、記録媒体に録音された音信号を含む電気信号を取り出し増幅するプレーヤ１００からの音を音データとして記憶するためのフラッシュメモリー（メモリー部の一例）１０１が設けられたシステムである。なお、プレーヤ１００及び記録媒体の種類は、トイレ用音響映像発生システム４０と同様のものを用いることができる。
【００４３】
温水洗浄装置の収納ケース９９内にはスピーカー１０９（図９参照）が設けられている。収納ケース９９の一方側の側壁には音楽入力端子であるプラグ１０２が設けられ、プレーヤ１００からの出力がイヤホンジャックを介して収納ケース９９内に設けられたフラッシュメモリー１０１に接続され、このフラッシュメモリー１０１を介してアンプからの出力がスピーカー１０９に出力されている。そして、収納ケース９９の他側側壁には、スピーカー１０９から再生された音を収納ケース９９の外部に出すための多数の開口部を備えたカバー１０３が設けられている。そして、収納ケース９９の他方側上部には、音信号を含む電気信号を、赤外線又は電波（例えばＦＭ電波等）を介して収納ケース９９内の受信機に伝えるためのリモコン受光部１０４が設けられている。このリモコン受光部１０４は、温水洗浄装置のリモコン装置９７が使用する受光部と共用になっている。このフラッシュメモリー１０１の動作は、温水洗浄装置のリモコン装置９７に設けられた音楽用リモコン装置１０５によって動作させる。
【００４４】
ここで、図９を参照しながら、トイレ用音響映像発生システム９５による音楽の出力方法について説明する。
プレーヤ１００に、記録媒体に音楽が録音された音楽ソフトをセットし、プレーヤ１００からの出力がプラグ１０２に接続されたイヤホンジャックから音声ドライブ１０６に出力される。この音声ドライブ１０６は、フラッシュメモリー１０１を備えており、入力した音信号をアナログ／デジタル（Ａ／Ｄ）変換し、この変換した音データをＣＰＵで圧縮して、フラッシュメモリー１０１に記憶させるものである。ここで、フラッシュメモリー１０１には、温水洗浄装置の使用方法を音声案内する音声データを予め記憶させておき、使用者がトイレを使用する場合には、各音声ガイドを行うことが可能な構成となっている。
【００４５】
フラッシュメモリー１０１に音データを記憶させた後は、音楽用リモコン装置１０５を操作することで、収納ケース９９に設けられたリモコン受光部１０４が電気信号を受信し、収納ケース９９内のメインコントローラ１０７が音声ドライブ１０６に指令する。この指令により、フラッシュメモリー１０１に記憶された音データをＣＰＵで解凍しながらデジタル／アナログ（Ｄ／Ａ）変換する。この変換された音データは、アンプ１０８に入力され、アンプ１０８からの出力がスピーカー１０９に出力されて、トイレ室９８内に音楽を流すことができる。ここで、収納ケース９９に音楽出力端子１１０を設けることで、他のスピーカー１１１から音楽を流すことも可能である。
なお、メインコントローラ１０７への指令は、収納ケース９９に設けられた温水洗浄装置の操作部１１２の操作を行ったり、また人体検知センサ及び着座検知センサのいずれか一方又は双方からなる検知センサ１１３を介して行うことも可能である。
なお、音楽再生中に、温水洗浄装置の使用方法を音声案内する音声データを流す場合は、メインコントローラ１０７からの指示により、音楽の音量を落す等の制御を行うことも可能である。このメインコントローラ１０７は、前記した機能部１５と実質的に同様の構成である機能部１１４の動作も制御している。
このように、例えば、各人が聴きたい音楽を、プレーヤ１００から温水洗浄装置のフラッシュメモリー１０１に記憶させることで、トイレ室９８内にプレーヤ１００を常時配置することなく、トイレ室９８内で音楽を楽しむことができる。
【００４６】
続いて、トイレ用音響映像発生システム９５の使用方法について説明する。
まず、使用者がトイレ室９８の扉を開けてトイレ空間に入ることで、検知センサ１１３の人体検知センサが検知し、予めフラッシュメモリー１０１に記憶させておいた音楽が流れる。このとき、音声ドライブ１０６により「便蓋が開きます」という音声案内が流れると共に、便蓋が開く。
次に、使用者が便座に座ることで、検知センサ１１３の着座検知センサが検知し、音声ドライブ１０６により「脱臭ファンが回り始めます」という音声案内が流れると共に、脱臭ファンが作動する。
そして、使用者が温水洗浄装置のリモコン装置９７を操作することで、その都度洗浄、乾燥等の音声案内が流れると共に、各装置が作動する。
使用者がトイレの使用を終了し、トイレ室９８から出ることで、検知センサ１１３の人体検知センサが検知し、音楽が停止する。
【００４７】
以上のことから、前記した従来の技術で記載した各問題は、図１、図１０に示すように解決できる。
朝の時間帯（ラッシュタイム）では、トイレ室内で主人が、例えば、時間、天気予報、ＴＶ番組表、経済ニュース、時事トピックス、株価等の各情報を、５分程度の短時間の間に容易に入手できる。これにより、時間の有効活用を図ることができる。
また、昼の時間帯（まどろみタイム）では、トイレ室内で主婦が、例えば、ＴＶ（昼メロ）を観たり、音楽を聴いたり、ゲームをしたりして、トイレ室内で自分の時間を作ることができる。
そして、夜の時間帯（くつろぎタイム）では、トイレ室内で主人が、例えば、ＴＶ（スポーツ番組他）、音楽、ゲーム、インターネット、Ｅ−ｍａｉｌ、読書等を行い、トイレ室内の空間を１人でくつろぐための空間にでき、しかも疲れを癒すこともできる。なお、例えば、スポーツ、ドラマ、映画等のテレビ番組を観ている最中にトイレを使用したくなった場合でも、このテレビ番組をトイレの使用中に引き続き観ることができるので、観たい場面を見逃すという心配もなくなる。このように、トイレ室を快適な空間にできるので、トイレ室で３０分間程度はくつろぎたいというニーズに対しても対応できる。
【００４８】
以上、本発明を、実施の形態を参照して説明してきたが、本発明は何ら上記した実施の形態に記載の構成に限定されるものではなく、特許請求の範囲に記載されている事項の範囲内で考えられるその他の実施の形態や変形例も含むものである。例えば、前記したそれぞれの実施の形態や変形例の一部又は全部を組合せて本発明のトイレ用音響映像発生システムを構成する場合も本発明の権利範囲に含まれる。
また、前記実施の形態においては、再生手段と温水洗浄装置とは、双方向通信機能を有し、双方の動作が連動している場合について説明したが、室内信号送受信装置、制御手段、温水洗浄装置、リモコン装置、及びトイレ室内のその他の付属機器のいずれか１又は２以上と、再生手段とが、双方向通信機能を有し、双方の動作を連動させることも可能である。
【００４９】
そして、前記実施の形態においては、室内信号送受信装置及びその制御手段を、温水洗浄装置を操作するリモコン装置又は再生手段に設置した場合について説明したが、温水洗浄装置の収納ケース又はトイレ室内のその他の付属機器（例えば、トイレットペーパーホルダー、タオル掛け、トイレ洗浄器具を収納するキャビネット、手洗い機、鏡、トイレ用照明器具等）に設けることも、また温水洗浄装置の収納ケース、リモコン装置、再生手段、及びトイレ室内のその他の付属機器の２つ以上に設置することも可能である。ここで、室内信号送受信装置及びその制御手段を電力供給源を備えた装置又は機器に設置した場合は、新たな電力供給源を設けることなく、室内信号送受信装置及びその制御手段を作動させることができるが、例えばキャビネット等に設ける場合は、新たな電力供給源を設ける必要がある。
【００５０】
【発明の効果】
請求項１〜１７記載のトイレ用音響映像発生システムにおいては、制御手段を使用することで、室外信号送受信装置から室内信号送受信装置を介し、再生手段から取得したい情報を入手できる。これにより、例えばトイレ室に、テレビを設置するためのアンテナ接続ジャックを設ける必要がなくなるので、アンテナ接続ジャックを設けるための工事費が不要になり経済的である。また、例えば住居が賃貸の場合等で、住居の改造に制約がある場所でも、トイレ室を容易に快適な空間にできる。従って、時間を有効活用できると共に、くつろぐこともできる快適なトイレ室を提供できる。なお、トイレ室をこのように快適な空間とすることで、例えばトイレを使用する人がトイレ室から出てこなくなる場合も考えられるが、このときは、室外信号送受信装置の電源を切ったり、室外信号送受信装置を用いて再生手段から音又は映像を流すことにより、使用者がトイレ室から出てくるように促すことも可能である。
【００５１】
特に、請求項２記載のトイレ用音響映像発生システムにおいては、温水洗浄装置の収納ケースやリモコン装置、再生手段、トイレ室内のその他の付属機器に、室内信号送受信装置及びその制御手段を組み込むことができ、デザイン的にもすっきりとしたトイレ空間となる。従って、トイレ室内をくつろぐことができる快適な空間にできる。
請求項３記載のトイレ用音響映像発生システムにおいては、温水洗浄装置、温水洗浄装置を操作するリモコン装置、又はトイレ室内のその他の付属機器に、再生手段、室内信号送受信装置及びその制御手段を組み込むことができ、よりデザイン的にもすっきりとしたトイレ空間となる。従って、トイレ室内をくつろぐことができるより快適な空間にできる。
【００５２】
請求項４記載のトイレ用音響映像発生システムにおいては、例えばリモコン装置或いは温水洗浄装置そのものに設けたスイッチによって、温水洗浄装置の各種動作を行う事以外にも、付属機器或いは温水洗浄装置そのものに設けられた再生手段をリモコン装置から動作させたり、温水洗浄装置の各種動作と連動して付属機器或いは温水洗浄装置そのものに設けられた再生手段を動作させたりすることができる。また、リモコン装置に再生手段が搭載されていれば、温水洗浄装置を動作させるだけの本来の目的以外にも、トイレ室内に設けられた各種装置、機器、制御手段を連動させ、リモコン装置だけで音楽を聴いたり、映像を観賞できるなど、非常に便利である。従って、トイレの使用者は、例えば各手段ごとにオンオフを制御する必要がなくなるので、操作性が良好であると共に、各手段の消し忘れを防止でき経済的である。
【００５３】
請求項５〜７記載のトイレ用音響映像発生システムにおいては、入出検出手段、着座検出手段、又は便器の便座及び／又は便蓋の開閉検知手段をそれぞれ設けることで、トイレの使用者が再生手段を操作することなく、再生手段の制御が行われ、作業性が良好になる。また、トイレの使用者の各動作により、再生手段の各操作がそれぞれ行われるので、再生手段が無駄に動作することを予め防止でき、操作性が良好であると共に経済的である。
請求項８記載のトイレ用音響映像発生システムにおいては、タイマー機能手段を備えることで、トイレの使用者が再生手段の操作を行うことなく、予め設定した時間で再生手段の各種制御を行うことができるので、再生手段の無駄な動作を防止でき経済的である。また、タイマー機能手段と前記した検出手段（検知手段）との組合わせにより、トイレの使用者が再生手段の操作を行うことなく、例えばトイレの使用開始から予め設定した時間で再生手段の各種制御も行うことができるので、再生手段の無駄な動作を防止でき経済的である。
請求項９記載のトイレ用音響映像発生システムにおいては、学習機能手段を設けることで、使用者が使用すると思われる時間帯、例えば朝のラッシュ時を自動的に認識し時事情報を流したり、夜の時間帯にリラックス音楽を流したりして、再生手段の制御を自動で行うことができる。また、前記した各種検出手段（検知手段）やタイマー機能手段と連動させることもできる。これにより、無駄な電力の消費を削減でき経済的に、トイレ室内をくつろぐことができる空間にできる。
【００５４】
請求項１０及び１１記載のトイレ用音響映像発生システムにおいては、再生手段として各種ディスプレイ又は画像投影手段からなる映像表示手段を備えることで、トイレの使用者が、例えば、静止画である風景画、動画であるテレビ番組、言語情報である新聞記事等を、トイレ室内で観ることができる。これにより、例えばトイレ室の内壁や扉に窓が設けられていない場合でも、トイレ室から風景を眺めることが可能になり、トイレ室を十分に癒される空間にできる。また、トイレ室の内壁、扉、床面に映し出す画像を変えることで、例えば絵画の掛け替えを行ったりする必要がなくなり、作業性が良好になる。
請求項１２記載のトイレ用音響映像発生システムにおいては、音響発生手段がスピーカーで構成されることで、トイレの使用者がトイレ室内で臨場感のある音響を楽しむことができる。これにより、トイレ室を各人の好みに応じた空間に容易にできる。
請求項１３記載のトイレ用音響映像発生システムにおいては、イヤホンの接続用プラグをジャックに接続することで、例えば大きな音を発することができない場合でも、トイレの使用者は音楽を楽しむことができる。これにより、周囲の環境に応じて、トイレ室を快適な空間にできる。
【００５５】
請求項１４記載のトイレ用音響映像発生システムにおいては、伝送媒体が電波であれば、トイレ内に接続用の端子を新たに設ける必要がなく、全ての映像情報や音情報を取得することができる。また、伝送媒体が伝送線の場合には、伝送線１つで、全ての映像情報や音情報を取得することができ、また電力線の場合には、トイレ室にある電源コンセントから特別な工事を必要とせずに、全ての映像情報や音情報を取得することができる。このように、いずれの伝送媒体にしても、テレビを見ることしかできないアンテナ接続ジャックを設けることなく、必要とする全ての情報を容易に取得できる。これにより、新たな工事を要することなく、容易にトイレ室を快適な空間にできるので、経済的である。
請求項１５記載のトイレ用音響映像発生システムにおいては、例えば、ＰＨＳ、携帯電話、無線ＬＡＮ、衛生通信等で使用される各種電波を使用でき、より高速な伝送速度を実現でき、例えば動画等では、高画質で時間遅れもなく、ストレス無く映像を楽しむことができる。これにより、容易にトイレ室を快適な空間にできる
請求項１６記載のトイレ用音響映像発生システムにおいては、従来各住居で使用されている伝送線をトイレ室内にも用いることができ、各種情報を容易に入手できるので、経済的である。
請求項１７記載のトイレ用音響映像発生システムにおいては、従来各住居で使用されている家庭用商用電源線をそのまま用いて各種情報を容易に入手できるので、経済的である。
【図面の簡単な説明】
【図１】本発明の第１の実施の形態に係るトイレ用音響映像発生システムの説明図である。
【図２】同トイレ用音響映像発生システムに使用する室外信号送受信装置の説明図である。
【図３】同トイレ用音響映像発生システムの動作状態の説明図である。
【図４】本発明の第２の実施の形態に係るトイレ用音響映像発生システムの説明図である。
【図５】同トイレ用音響映像発生システムの内部系統の説明図である。
【図６】（Ａ）〜（Ｃ）はそれぞれ本発明の第１〜第３の変形例に係るトイレ用音響映像発生システムの説明図である。
【図７】本発明の第２の変形例に係るトイレ用音響映像発生システムの内部の説明図である。
【図８】（Ａ）、（Ｂ）はそれぞれ本発明の第４、第５の変形例に係るトイレ用音響映像発生システムの説明図である。
【図９】本発明の第５の変形例に係るトイレ用音響映像発生システムの内部の説明図である。
【図１０】本発明のトイレ用音響映像発生システムによる時間帯別効果を示す説明図である。
【符号の説明】
１０：トイレ用音響映像発生システム、１１：便座、１２：便蓋、１３：便器、１４：トイレ室、１５：機能部、１６：収納ケース、１７：居間、１８：室外信号送受信装置、１９：再生手段、２０：音響発生手段、２１：映像表示手段、２２：制御手段、２３：リモコン装置、２４：照明器具、２５：映像表示手段、２６、２７、２８、２８ａ：スピーカー（音響発生手段）、３０：トイレ用音響映像発生システム、３１：再生手段、３２：温水洗浄装置、３３：リモコン装置、３４：室内信号送受信装置、３５：スピーカー（音響発生手段）、３６：映像表示手段、３７：制御手段、３８：各種情報、３９：再生手段、４０：トイレ用音響映像発生システム、４１：便器、４２：リモコン装置、４３：トイレ室、４４：記録媒体、４５：プレーヤ、４６：電源コード、４７：収納ケース、４８：受信部、４９：カバー、５０：人体検知センサ、５５：トイレ用音響映像発生システム、５６：便器、５７：リモコン装置、５８：トイレ室、５９：収納ケース、６０：記録媒体、６１：プレーヤ、６２：カバー、６３：リモコン受光部、６４：音楽用リモコン装置、６５：音楽ソフト、６６：メインコントローラ、６７：操作部、６８：検知センサ、６９：アンプ、７０：スピーカー、７１：音楽出力端子、７２：スピーカー、７３：音声ドライブ、７４：機能部、８０：トイレ用音響映像発生システム、８１：プレーヤ、８２：操作部、８３：収納ケース、８５：トイレ用音響映像発生システム、８６：便器、８７：リモコン装置、８８：トイレ室、８９：収納ケース、９０：載置部、９１：プレーヤ、９２：プラグ、９３：カバー、９５：トイレ用音響映像発生システム、９６：便器、９７：リモコン装置、９８：トイレ室、９９：収納ケース、１００：プレーヤ、１０１：フラッシュメモリー（メモリー部）、１０２：プラグ、１０３：カバー、１０４：リモコン受光部、１０５：音楽用リモコン装置、１０６：音声ドライブ、１０７：メインコントローラ、１０８：アンプ、１０９：スピーカー、１１０：音楽出力端子、１１１：スピーカー、１１２：操作部、１１３：検知センサ、１１４：機能部
【図１】
2004120510.tif 000003
【図２】
2004120510.tif 000004
【図３】
2004120510.tif 000005
【図４】
2004120510.tif 000006
【図５】
2004120510.tif 000007
【図６】
2004120510.tif 000008
【図７】
2004120510.tif 000009
【図８】
2004120510.tif 000010
【図９】
2004120510.tif 000011
【図１０】
2004120510.tif 000012